(57)【要約】【課題】レドームの電波通過部分が小さく、実際の雨滴挙動により電波の減衰影響を受けやすいアンテナに対し、水膜付着防止性に優れたアンテナレドームを提供することである。【解決手段】アンテナを収容するレドーム２ａの少なくとも外表面に、レドーム２ａ下方に向けて傾斜させた筋状の突起３ａや筋状の溝などが垂直方向に間隔を開けて複数本設けられ、かつ、これら突起３ａがレドームの電波通過部分５ａを横断するように設けられていることである。【選択図】　　　　図１
2004023645.tif 000002
【特許請求の範囲】
【請求項１】
アンテナを収容するレドームの少なくとも外表面に、レドーム下方に向けて傾斜させた筋状の突起および／　または筋状の溝が垂直方向に間隔を開けて複数本設けられ、かつ、これら突起および／　または溝が、レドームの電波通過部分を横断するように設けられたことを特徴とする水膜付着防止性に優れたアンテナレドーム。
【請求項２】
前記レドームの電波通過部分における、前記突起および／　または溝を設けた部分と前記突起および／　または溝を設けていない部分との、電波通過方向に測った電波行路差が使用する電波の波長の整数倍である請求項１に記載の水膜付着防止性に優れたアンテナレドーム。
【請求項３】
前記レドームの電波通過部分において、前記突起および／　または溝が、レドームの外表面と内表面との両面に設けられている請求項１または２に記載の水膜付着防止性に優れたアンテナレドーム。
【請求項４】
前記レドームの電波通過部分において、前記突起および／　または溝による、レドームの厚み変化を打ち消すように、レドーム内表面に、レドーム外表面とは逆形状の溝、あるいは突起を設けた請求項３に記載の水膜付着防止性に優れたアンテナレドーム。
【発明の詳細な説明】
【０００１】
【発明の属する技術分野】
本発明は、降雨時の水膜付着防止性に優れたアンテナレドームに関するものである。
【０００２】
【従来の技術】
通信・放送においては、使用する電波の周波数が高くなるにつれ、降雨により電波が減衰する現象が顕著になる。例えば、「衛星放送受信の手引き」（　金原　晃、渡邊　浩共著、コロナ社発行、３６〜３８頁）　などでは、この降雨減衰の現象が衛星放送の受信においても生じることが指摘されている。この降雨減衰は、主として、アンテナの送信受信の間の空間に存在する雨滴の、電波の散乱、吸収によるものである。
【０００３】
一方、マイクロ波〜ミリ波帯の通信において、屋外で使用されるアンテナは、外界の気象条件から保護するため、通常、レドームと呼ばれる、保護カバー内に収容される。このレドームは、電波を透過する材質を成形して形成され、アンテナの開口部形状に合わせ、球状、円筒状などの種々の形状からなる。
【０００４】
レドーム外表面は、降雨時には、当然ながら雨がかかり、雨滴により濡れる。そして、このレドームを設けたタイプのアンテナにおいて、前記雨滴による濡れに起因するレドーム外表面の水膜の形成が、電波の減衰の主たる要因となることが「電子通信学会論文誌」（５５−Ｂ　、Ｎｏ．６、３２１−３２２　頁）　などでも指摘されている。即ち、レドームを設けたタイプのアンテナにおいては、上記降雨に伴う雨滴の散乱、吸収による以外に、前記雨滴による濡れに起因するレドーム外表面の水膜の形成が、電波の減衰の主たる要因となる。
【０００５】
このようなレドーム外表面の水膜形成に対する対策として、従来から、特許第３１１７６３４　号や実用新案第２５８９７３５　号の公報などで、レドームの上部を取り囲むように降雨を集水する機構と、そこで集水された水を排水する機構とを設けて、レドームに落下する降雨を集め、レドーム表面を濡らさぬよう排水するようにすることが提案されている。
【０００６】
例えば、上記特許第３１１７６３４　号公報では、レドームの上部を取り囲むように、レドーム外表面に凸条を固定し、この凸条とレドーム本体外表面とで排水溝　（凹条）　を形成し、この排水溝を流下する水を受け止める雨樋と、雨樋を流下する水を受け止める排水路とを設けて、レドーム外表面の雨水をレドーム下部に排水して、水膜の形成を防止している。
【０００７】
また、上記実用新案第２５８９７３５　号公報では、同じく、電波放射範囲よりも上部のレドーム上部を取り囲むように、ロープで支持されたホースを各々円形　（水平方向）　および垂直方向にレドーム外表面に複数本設けて、ガイドなども用いながら両方のホースを接続し、このホースを雨樋として、雨水を集水および流下させて水膜の形成を防止している。
【０００８】
【発明が解決しようとする課題】
これらの従来技術は、共通して、レドームの電波放射範囲への雨水の侵入を未然に防止すべく、レドーム天辺部における水受けを意図している。しかし、降雨は風を伴う場合もあり、必ずしも鉛直方向に降るわけではない。このため、上記従来のレドーム天辺部における水受けだけでは、レドームの電波放射範囲、特に、レドームの電波通過部分の表面が、直接雨で濡れ、水膜が形成されるのを防止乃至抑制できない。
【０００９】
本発明者らの観察によれば、レドームに付着した雨滴が粒状を保っている場合は、雨粒の間隔も広く、レドームの電波通過部分の断面に占める割合が小さく、大きな減衰はない。しかも、レドームに付着した雨滴が流れ落ちる際に、水膜を形成して電波の減衰を大きくするのみならず、流れ落ちる雨滴が他の付着した雨滴を伴って流れるため、より電波の減衰を大きくする（但しこの領域の大きさは幅５　〜１０ｍｍ程度の縦長の領域である）。
【００１０】
このため、上記従来技術だけでは、これら実際の雨滴挙動に対し、十分な対策になり得ない。特に１対多の無線通信における基地局（１の側にあたる）用セクタアンテナ（水平面内広角に均等に電波を放射する）、オムニアンテナ（水平面内全方位に均等に電波を放射する）では、通信品質に影響を及ぼすレドームの電波の通過する部分（領域とも言う）が通信相手の方向毎に異なり、かつ狭いために、これら雨滴挙動の影響を特に受けやすい。
【００１１】
この現象を以下に図により説明する。図１０はセクタアンテナを例示する斜視図、図１１はこのセクタアンテナの水平面内の放射特性を説明する説明図、図１２はこのセクタアンテナの水平面内断面を示す要部断面図である。図１２のように、要部のみ簡略化すると、セクタアンテナ１　は放射素子３１とレドーム３２からなる。このようなセクタアンテナにおいて、電波強度が正面放射に対して半分になる（３ｄＢ　低下する）角度の範囲（半値角）は、図１１の通り、９０度であり、図１２に示すαの角度範囲である。これに対して、レドーム３２は、図１２に示すように、通常、電波の全放射範囲をカバーする大きさが必要である。このため、オムニアンテナの場合にはレドームがアンテナ放射素子の全周にある。
【００１２】
今、前記図１２において、Ａ　の方向との通信の場合を考えると、レドーム３２とアンテナ　（放射素子３１）　との距離が通信距離に比べて著しく小さいために、レドーム３２を電波が通過する部分の大きさは十分小さくなる。このため、図１２に示すレドーム３２のハッチングした部分で示すように、レドーム３２を電波が通過する部分５　の大きさはアンテナ開口にほぼ等しいと考えられる。
【００１３】
この種セクタアンテナとしての、ホーンアンテナ、パラボラアンテナなどの開口アンテナの電波放射角とレドームのアンテナ開口の大きさには一定の関係がある。レドームのアンテナ開口での電波強度分布が一様で角形開口の場合、開口の幅をａ、電波の波長をλとすると、θ１／２（ｒａｄ）≒０．８８λ／ａである。したがって、半値角が９０度ならば、開口幅は０．５６λ程度となる。このような通信に使われる準ミリ波帯の２６ＧＨｚ　を例にあげると、開口幅は約６．５ｍｍ　となる。このように、セクタアンテナなどにおけるレドームの電波通過部分の大きさは非常に小さなものとなる。
【００１４】
このように、レドームの電波が通過する部分５　の大きさが小さいと　（レドームの電波が通過する領域が狭いと）　、降雨時に、前記雨滴の流れ落ちによる水膜が、たまたま、このレドームのレドームの電波通過部分５　に重なった場合、大きな電波の減衰を生じるのが特徴である。
【００１５】
実際に、２６ＧＨｚ　帯の電波において、降雨を模擬して上方よりレドームに水滴を散布して測定した例を図１３に示す。図１３において、横軸は時間、縦軸は電波の信号強度を示す。この図１３から分かる通り、時間経過の前半と後半はレドームに降りかかる水量が異なっており、後半がより多く、より強い雨に対応している。信号強度は大きなうねる変動と鋭いパルス状の変動が組合わさった状態である。大きな変動は全体に平均的に流れている水に起因するもので、鋭いパルス状の変動は水滴が水膜を形成しながら流れることに起因する。
【００１６】
これに対し、前記特許第３１１７６３４　号や実用新案第２５８９７３５　号の公報など、従来技術で対象としていたアンテナは、レーダあるいは通信基幹回線などの、アンテナ指向性が鋭いアンテナである。図１４に、このようなアンテナの場合の、水平面内断面を示すように、アンテナ４１に対し、レドーム４２におけるレドームの電波が通過する部分４３は十分大きい。このように、レドームの電波通過部分が十分大きいアンテナの場合、レドームの電波通過部分４３の範囲内での降雨による水膜は局所的かつランダムに起こるので、平均化され、電波の減衰に対する影響はあまりない。
【００１７】
例えば、レーダ、通信基幹回線のアンテナは円形開口が多く、開口での電波強度分布が一様な場合θ１／２　≒１．０２λ／Ｄ（Ｄ：アンテナ開口径）となり、θ１／２　＝２度程度のアンテナはＤ≒２９λとなる。また使用される周波数帯が５　〜６ＧＨｚであるので、アンテナ開口径は１．５ｍ程度と大きくなる。
【００１８】
以上の通り、セクタアンテナやオムニアンテナなど、レドームの電波通過部分が小さく、実際の雨滴挙動により電波の減衰影響を受けやすいアンテナレドームに対し、降雨による濡れに起因する電波の減衰を防止する有効な手段は、これまでに無かったのが実情である。
【００１９】
したがって、本発明は、特に、セクタアンテナやオムニアンテナなど、レドームの電波通過部分が小さく、実際の雨滴挙動により電波の減衰影響を受けやすいアンテナに対し、水膜付着防止性に優れたアンテナレドームを提供することを目的とする。
【００２０】
【課題を解決するための手段】
この目的のために、本発明アンテナレドームでは、レドームの電波通過部分への水膜形成を防止すべく、アンテナを収容するレドームの少なくとも外表面に、レドーム下方に向けて傾斜させた筋状の突起および／　または筋状の溝が垂直方向に間隔を開けて複数本設けられ、かつ、これら突起および／　または溝が、レドームの電波通過部分を横断するように設けられたことを要旨とする。
【００２１】
前記した通り、従来技術では、レドームの電波放射範囲への雨水の侵入を未然に防止すべく、レドーム天辺部において水受けすることを主旨としていた。しかし、この方式では、風を伴う降雨など、レドームの電波通過部分へ、直接雨水が侵入あるいは降りかかる場合に、全く対応できない。
【００２２】
これに対し、本発明アンテナレドームでは、後述する通り、実際の雨滴挙動に対応して、レドームの電波通過部分への雨水や水滴の侵入は許容するものの、これらの雨水や水滴を、連続的にかつ強制的に、レドームの電波通過部分から排出することを主旨とする。しかも、この排出によって、逆に、レドームの電波通過部分への雨水や水滴の侵入量自体も低減できるという予想外の効果も生まれる。
【００２３】
そして、これらの効果を生むのが、アンテナを収容するレドームの少なくとも外表面に、レドーム下方に向けて傾斜させて設けられ、かつ、レドームの電波通過部分を横断するように設けられた、筋状の突起および／　または筋状の溝である。
【００２４】
【発明の実施の形態】
以下、本発明の実施の形態について、図面を用いて説明する。
【００２５】
図１　は本発明の１実施態様を示し、セクタアンテナの場合のレドーム外表面形状を示す。図１（ａ）はレドーム２ａの斜視図、図１（ｂ）はレドーム２ａの左側面図、図１（ｃ）はレドーム２ａの右側面図である。図１　において、レドーム２ａの電波通過部分５ａへの水膜形成を防止すべく、レドーム２ａの外表面には、垂直方向に　（レドーム２ａ下方に向けて）　傾斜させた筋状の排水用突起３ａが、垂直（鉛直）方向に間隔を開けて、かつ１　方向に平行に複数本設けられている。そして、重要なことには、これら突起３ａは、レドームの電波通過部分５ａを横断するように設けられている。
【００２６】
この筋状の排水用突起３ａの断面を、レドーム２ａの部分断面図である図２（ａ）に示す。また、この突起３ａに代わり、突起３ａと同じ大きさの排水溝４ａを、突起３ａと同じ条件で、レドーム２ａの外表面　（外側）　に設けた別の態様を、図２（ｂ）にレドーム２ａの部分断面図で示す。
【００２７】
ここにおいて、図３（ａ）、（ｂ）　に、降雨時における図１　のレドーム外表面を模式的に示す。図３（ａ）は図１　は本発明の１実施態様、図２（ｂ）は従来技術を示す。先ず、図３（ｂ）に示すように、通常、電波の減衰の原因となる雨滴　（水滴）６は、レドーム２ａ表面を流れ落ちながら、他の　（回りや下部の）　水滴Ｘを取り込み　（引き込み現象）　、水量を増しながらレドーム外表面２ａに沿って下方へ流れる水流７　となる。この水流７　は、図中の破線で示すレドームの電波通過部分５ａ上を流れ落ちながら広がり、レドームの電波通過部分５ａ上に大きな水膜を形成する。
【００２８】
しかも、前記した水流７　の回りの水滴６　の引き込み現象は、降雨中に、連続的に生じ、レドームの電波通過部分５ａ上を下方へ流れる水流長さあるいは時間が長くなるため、レドームの電波通過部分５ａ上で発生する水膜領域は大きくなり、かつ降雨期間中に恒常的に存在することとなる。このため、レドームの電波通過部分５ａ上での電波の減衰が大きくなり、このような電波の減衰が降雨期間中に恒常的に発生する。したがって、前記図１３で示したように、無線通信の品質を著しく低下させる。この点は、前記したレドーム天辺部において水受けする従来技術でも同様である。
【００２９】
これに対し、図３（ａ）の本発明実施態様では、レドーム２ａの外表面に沿って下方へ流れる前記水流７　は、レドーム２ａ下方に向けて傾斜させ、かつ、レドームの電波通過部分５ａを横断するように設けられた複数本の排水用突起３ａに、突起ごとに当たって、この突起３ａごとにせき止められ、かつ、突起３ａに沿って誘導され、レドーム下方へ排出され、流下する。
【００３０】
実際の雨滴挙動では、水滴乃至雨滴６　が、電波通過部分５ａ内に逐次あるいは連続的に侵入して、これらが集合した垂直方向の水流７　がレドームの電波通過部分５ａ上を下方へ流れ落ちようとする。しかし、本発明排水用突起３ａによって、突起３ａごとに、言い換えると、レドームの電波通過部分の垂直方向の各突起設置部分ごとに、水滴６　や水流７　は、連続的かつ強制的に、レドームの電波通過部分５ａ上から外れる方向に誘導され、レドーム性能に影響ない下方へと排水される。
【００３１】
このため、レドームの電波通過部分５ａ上を下方へ流れる水流長さあるいは時間が大きく限定される。また、これによって、水流７　の回りの水滴Ｘの前記引き込み現象も制約され、レドームの電波通過部分５ａ上を下方へ流れる水流長さ自体も短くなる　（水流量も少なくなる）　。この結果、レドームの電波通過部分５ａ上で発生する水膜領域が小さくなり、レドームの電波通過部分５ａ上に、水膜が形成するのを抑制する効果を有する。そして、この効果によって、レドームの電波通過部分５ａ上での電波の減衰が少なくなり、無線通信の品質を高める。
【００３２】
図１　の本発明実施態様および図３　で説明した効果を図４　により以下に裏付ける。図４　は、セクタアンテナにおける２６ＧＨｚ　帯の電波において、前記図１４と同じ条件で、実際に降雨を模擬して上方よりレドームに水滴を散布して測定した例を示す。図４　において、前記図１４と比較して、パルス状の鋭い変化が大幅に減少していることが分かる。実際にも、強度変動の標準偏差を計算すると、前記図１４と比較して、半減したことが確認された。
【００３３】
なお、これらの作用効果は、前記図２（ｂ）に示した排水溝４ａであっても、あるいは、後述する図５　や６　の本発明の別の態様であっても、基本的に同じく発揮される。
【００３４】
図５　、図６　に本発明の別の実施態様を示す。図５　、図６　はセクタアンテナの場合のレドーム外表面形状を示し、図５（ａ）はレドーム２ｂの斜視図、図５（ｂ）はレドーム２ｂの左側面図、図５（ｃ）はレドーム２ｂの右側面図である。図６　はオムニアンテナのレドームの場合を示す斜視図である。
【００３５】
図５　において、筋状の排水用突起３ｂは、垂直方向に　（レドーム２ｂ下方に向けて）　傾斜させ、垂直方向に間隔を開けて、かつ、レドームの電波通過部分５ｂを横断するように、平行に複数本設けられている点は、前記図１　の排水用突起３ａと同じである。ただ、図５　の筋状の排水用突起３ｂは、前記図１　の排水用突起３ａのように１　方向に向かうのではなく、レドーム２ｂの真ん中から左右に振り分けられた２　方向の下方に向かい設けられている。因みに、２　方向の上方に向かい排水用突起３ｂ設けた場合、レドーム外表面の真ん中に水を集めてくることになるので好ましくない。
【００３６】
ここで、セクタアンテナの場合のレドーム外表面形状は、水平面内の１　方向に、広角に均等に電波を放射するセクタアンテナの特性に合わせ、レドームの電波通過部分を含む前記１　方向に対してのみ、円形乃至円弧状となっている。したがって、本発明における排水用突起乃至排水溝は、上記した条件を満足した上で、この円形乃至円弧状部に、部分的に設ければ良い。
【００３７】
図６　のオムニアンテナの場合において、筋状の排水用突起３ｃは、図１　の排水用突起３ａと同じく、レドーム２ｃ下方に向けて傾斜させ、垂直方向に間隔を開けて、かつ、レドームの電波通過部分５ｃを横断するように、平行に複数本設けられている。ただ、オムニアンテナの場合は、水平面内全方位に均等に電波を放射するオムニアンテナの特性に合わせて、レドーム２ｃが円形であり、レドームの電波通過部分５ｃはレドーム全周に渡っている。したがって、このような場合には、本発明における排水用突起乃至排水溝は、この図６　の排水用突起３ｃのようにレドーム２ｃの外側全周に設ける。
【００３８】
次に、本発明における排水用突起乃至排水溝の設け方について、以下に詳細に説明する。
本発明における突起乃至溝は前記した通り、レドーム表面に沿ってレドームの電波通過部分を下方へ流れる水流、言い換えると、レドームの電波通過部分へ逐次侵入する水流を、レドームの電波通過部分の部分ごとにせき止めるとともに、レドーム下方へ連続的かつ強制的に排出　（誘導）　する作用効果を有する。このため、この作用効果を発揮するためには、突起乃至溝を、レドーム下方に向けて傾斜させること、垂直方向に間隔を開けて複数本設けること、レドームの電波通過部分を横断するように設けることが必要である。
【００３９】
ただ、この条件を満足した上で、種々の条件を変更することは許容される。例えば、突起乃至溝のレドーム下方に向けての傾斜角度は、互いに平行である必要や、各々の突起乃至溝において一様な角度である必要はない。突起乃至溝を垂直方向に間隔を開けて複数本設ける場合も、突起乃至溝が各々分割乃至独立していても良く、レドーム外周を連続的に巻き回した１　本の突起乃至溝とし、垂直方向の断面乃至側面で見た場合に、間隔を開けて複数本設けているようにしても良い。更に、設ける複数本の突起乃至溝が全てレドームの電波通過部分を横断する必要はない。例えばレドームの上部や下部などの端部に設ける突起乃至溝は、レドームの電波通過部分を横断する必要はない。
【００４０】
この他、突起乃至溝は、雨量やレドーム表面に沿って下方へ流れる水流に応じ、かつレドームの電波通過部分やレドーム外表面の大きさや形状にも対応した、好ましい大きさ　（幅、突起高さあるいは溝深さ）　や長さ、本数を選択する。
【００４１】
また、排水用突起や排水溝は同じ大きさや形状を、１　種類のみ設けるのではなく、レドームの電波通過部分やレドーム外表面の大きさや形状に対応させるか、レドーム外表面部位による水流の違いに応じて、レドーム表面周囲方向やレドーム表面の垂直方向に渡って、大きさや形状を順次変えても良い。また、排水用突起と排水溝とを、垂直方向に交互に順次配置するなど、適宜組み合わせて用いても良い。
【００４２】
なお、レドームにおける排水用突起乃至排水溝を設ける位置も、特にレドームの電波通過部分を下方へ流れる水流を止められるとともに、レドームの電波通過部分の水の流下を防止でき、更にレドームの電波通過部分外へ排水できる位置を選択する。但し、これら排水用突起乃至排水溝の配置位置は、レドームの電波通過部分の大きさ乃至面積をカバーする必要がある。前記したような従来のレドーム天辺部の水受けだけでは、レドームの電波通過部分への水膜が形成されるのを抑制できない。
【００４３】
ただ、本発明における排水用突起乃至排水溝は、特殊な形状は必要なく、前記図２　に断面で示したような、通常の断面矩形状、あるいは断面略円形状などが、レドーム表面の加工しやすさなどの点から適宜選択できる。これらの突起あるいは溝は、後述するレドーム内表面に設ける場合も含めて、地上でレドームを成形する際に、同時に、レドームを成形あるいはレドーム表面を加工して、形成することが作業上や精度上などからして好ましい。また、突起の場合には、長尺の突起物を、レドームに別付け　（別個に接着や接合）　する事も可能である。この場合、レドームに汎用されるＡＢＳ　樹脂などとは異なる材質を選定することも可能になり、後述する電波波面の制約条件を制御しやすくなる。また、電波波面の制約条件を少なくする材質を選定することも可能になり、後述する電波波面の制約条件を制御しやすくなる。但し、金属類は材質的に電波を反射し透過させないので、本発明における排水用突起乃至排水溝には使用できない。
【００４４】
一方、本発明における排水用突起乃至排水溝を設けると、レドームの厚さは、図２　に断面で示したように、その分だけ変化する。そして、排水用突起乃至排水溝の前記設け方にもよるが、このレドームの厚さの変化が大きいと、レドームを通過する電波の波面に影響を与えるので、この点も考慮することが好ましい。
【００４５】
今、レドームの材質の誘電率をεとすると、内部での波長に関連する屈折率は√εである。屈折率√εの媒質中では、その媒質中の電波の波長λｇ　は、λｇ　＝　λ／　√ε（λは真空中の波長≒空気中の波長）となる。厚さｄ　のレドーム材を電波が通過すると、それはｄ　／　λｇ　波長に相当し、空気中の長さに換算すると（ｄ　／λｇ　）　×λ＝√ε×ｄ　となる（空気中の波長＝真空中の波長とした）。一方、その間が空気中の場合はｄ　となり、両者の差が行路差であり、電波の波面の乱れである。この行路差は√ε×ｄ　−ｄ＝　（√ε−１）×ｄ　となる。
【００４６】
通常、電波の波面の乱れは、使用波長の１／４　以下であれば、アンテナの特性に影響しないとされている。この条件を与えると、空気中では　（√ε−１）×ｄ　＜λ／４であるから、ｄ　＜λ／［４（√ε−１）］　であれば、突起あるいは溝の大きさの影響は無視してよい。この点、レドームに汎用されるＡＢＳ　樹脂のεは約２．７　であるから、ｄ　＜０．４　λである。このため、２６ＧＨｚ　の電波ではｄ＜４．６ｍｍ　となる。
したがって、これより使用波長が短い電波、あるいはレドーム誘電率εが大きい場合は、条件が厳しくなり、レドームの厚さの変化が大きいと、レドームを通過する電波の波面に影響を与える。その場合は以下に説明する対策を行うことが好ましい。
【００４７】
図７　、８　、９　はこの対策例を各々示す、レドーム部分の部分断面図である。先ず、図７　は、図７　（ａ）　のレドーム外表面　（外側）　に設けた突起３ａの各高さａ　、あるいは図７　（ｂ）　の溝３ｂの各深さｂ　を、それらによって生じる前記行路差が波長の整数倍（ｍ倍）　になるように、［ｍ　／　（√ε−１）］　λとしたものである。即ち、前記請求項２　のように、突起および／　または溝を設けたアンテナレドーム部分と、前記突起および／　または溝を設けていないアンテナレドーム部分との、電波通過方向に測った電波行路差を、使用する電波の波長の整数倍としたものである。
【００４８】
この結果、突起あるいは溝の部分を通る電波は、それがない部分を通る電波と２πの整数倍だけ位相が異なり、同位相と見なせる。この場合、行路差は前記した通り、　（√ε−１）ｄ　であったから、ｍ　を整数として、　（√ε−１）ｄ＝ｍ　λ、即ちｄ＝　ｍλ／（√ε−１）である。
【００４９】
これらの突起あるいは溝を、前記請求項３　のように、レドームの両側に設け、その合計の効果が上記を満たすことも可能である。図８　（ａ）　、（ｂ）　、（ｃ）　は各々この態様をレドームの断面図で示す。図８　（ａ）　は突起３ｄと突起３ｅとを各々レドームの両側に設けた場合、図８　（ｂ）　は溝４ｂと溝４ｃとを各々レドームの両側に設けた場合、図８　（ｃ）　は溝４ｄをレドームの内表面に、突起３ｆをレドームの外表面に、各々設けた場合を示す。
【００５０】
そして、図８　（ａ）　では突起３ｄと突起３ｅの各高さａ　、ｂ　との合計ａ　＋ｂ　が、ｍ　λ／（√ε−１）として、前記行路差が波長の整数倍（ｍ倍）　になるようにしている。
図８　（ｂ）　も、溝４ｂと溝４ｃの各深さａ　、ｂ　との合計ａ　＋ｂ　が、ｍ　λ／（√ε−１）として、前記行路差が波長の整数倍（ｍ倍）　になるようにしている。一方、図８　（ｃ）　の場合は、レドームの外表面突起３ｆの各高さｂ　とレドームの内表面溝４ｄの各深さａ　との差、ｂ　−ａ　がｍ　λ／（√ε−１）として、前記行路差が波長の整数倍（ｍ倍）　になるようにしている。
【００５１】
次に、特別な場合として、図９　に、レドーム外表面（外側）の突起、あるいは溝の大きさだけ、これに対応する位置のレドーム内表面　（内側、裏面）　を、溝あるいは突起にした態様を断面図で示す。この図９　において、図９　（ａ）　はレドーム外表面を突起３ｇとし、対応するレドーム内側裏面に、前記突起３ｇの大きさ分だけ、溝４ｅを各々設けている。図９　（ｂ）　はレドーム外表面を溝４ｆとし、対応するレドーム内側裏面に、前記溝４ｆの大きさ分だけ、突起３ｈを各々設けている。これらの態様では、レドーム外表面に突起あるいは溝を設けても、レドーム厚みをどの場所でも同じとして、突起あるいは溝がないのと同じ効果を持たせている。即ち、前記請求項４　のように、前記突起および／　または溝による、レドームの厚み変化を打ち消すように、レドーム内側に、レドーム外側のものとは逆形状の溝、あるいは突起を設けた態様を示している。
【００５２】
なお、前記したように、突起の場合に、電波波面の制約条件を制御しやすくする材質を選定し、上記した図８　、９　などの手段と適宜組み合わせて、あるいは、それのみで、電波の波面の乱れを制御しても良い。更に、レドーム表面に溝を設ける場合でも、溝内に電波の波面の乱れを制御する材質のものを配置することも可能である。
【００５３】
【発明の効果】
以上述べたように、本発明によれば、セクタアンテナやオムニアンテナなど、レドームの電波通過部分が小さく、実際の雨滴挙動により電波の減衰影響を受けやすいアンテナレドームに対し、水膜付着防止性に優れたアンテナレドームを提供できる。この結果、降雨による濡れに起因する電波の減衰を防止したアンテナレドームを提供できる。
【図面の簡単な説明】
【図１】本発明の１実施態様を示し、図１（ａ）はレドームの斜視図、図１（ｂ）はレドームの左側面図、図１（ｃ）はレドームの右側面図である。
【図２】本発明の１実施態様を示し、図２（ａ）は図１　の断面図、図２（ｂ）は別の実施態様を示す断面図である。
【図３】本発明の効果を模式的に示し、図３（ａ）は降雨時における図１　のレドーム外表面を、図３（ｂ）は降雨時における従来のレドーム外表面を模式的に示す説明図である。
【図４】降雨を模擬した際の図１　の本発明実施態様の効果を示す説明図である。
【図５】本発明の別の実施態様を示し、図５（ａ）はレドームの斜視図、図５（ｂ）はレドームの左側面図、図５（ｃ）はレドームの右側面図である。
【図６】本発明の別の実施態様を示し、オムニアンテナのレドームを示す斜視図である。
【図７】各々本発明の別の実施態様を示し、図７（ａ）、図７（ｂ）は各々レドームの部分断面図である。
【図８】各々本発明の別の実施態様を示し、図８（ａ）、図８（ｂ）、図８（ｃ）は各々レドームの部分断面図である。
【図９】各々本発明の別の実施態様を示し、図９（ａ）、図９（ｂ）は各々レドームの部分断面図である。
【図１０】従来のセクタアンテナを例示する斜視図である。
【図１１】図１０のセクタアンテナの水平面内の放射特性を示す説明図である。
【図１２】図１０のセクタアンテナの水平面内断面を示す要部断面図である。
【図１３】降雨を模擬した際の、図１０のセクタアンテナの電波を測定した例を示す説明図である。
【図１４】従来のアンテナの水平面内断面を示す要部断面図である。
【符号の説明】
１　…アンテナ、２　…レドーム、３　…突起、　４…溝、５　…レドームの電波通過部分、　　６　…水滴、　７…水流、
【図１】
2004023645.tif 000003
【図２】
2004023645.tif 000004
【図３】
2004023645.tif 000005
【図４】
2004023645.tif 000006
【図５】
2004023645.tif 000007
【図６】
2004023645.tif 000008
【図７】
2004023645.tif 000009
【図８】
2004023645.tif 000010
【図９】
2004023645.tif 000011
【図１０】
2004023645.tif 000012
【図１１】
2004023645.tif 000013
【図１２】
2004023645.tif 000014
【図１３】
2004023645.tif 000015
【図１４】
2004023645.tif 000016